(57)【要約】  【課題】自ら遊技媒体を払い出して貸与できると共に、遊技媒体の貸与を指令する貸与指令信号に応じて遊技媒体を貸与する遊技媒体貸与機能を有する遊技機に対応して設置された場合であっても、当該遊技機での遊技を行うことができ、当該遊技機に設けられている接続ポートが空いてしまうことがないような遊技用装置を提供する。  【解決手段】遊技媒体貸与機能を有するＣＲ式のパチンコ機に対応して設置された場合には、該パチンコ機に対してパチンコ玉の貸与を指令できる状態にあることを示す信号（ＰＳＩのＬＯＷ，ＢＲＤＹのＨＩＧＨ，ＢＲＱのＨＩＧＨ）を送信すると共に、パチンコ機よりパチンコ玉を貸与するために必要な信号（ＰＲＤＹのＬＯＷ，ＥＸＳのＨＩＧＨ）を受信して、該信号の入出力状態に関わらずパチンコ玉の払出を行う。【選択図】        図５
2005312469.tif 000002
【特許請求の範囲】
【請求項１】
遊技機に対応して設けられ、
貨幣を受け付ける貨幣受付手段と、
該貨幣受付手段により受け付けた貨幣の金額の範囲内における所定の金額に相当する数の遊技媒体を払い出す遊技媒体払出手段と、
を有する遊技用装置であって、
遊技媒体の貸与を指令する貸与指令信号に応じて遊技媒体を貸与する遊技媒体貸与機能を有する遊技機に対して遊技媒体の貸与を指令できる状態にあることを示す信号を送信すると共に、該遊技機より遊技媒体を貸与するために必要な信号を当該遊技機から受信する信号入出力手段を有し、
前記遊技媒体払出手段は、該信号入出力手段における信号の入出力状態に拘わらず遊技媒体の払出を行うことを特徴とする遊技用装置。
【請求項２】
請求項１に記載した遊技用装置であって、
前記対応する遊技機が前記遊技媒体貸与機能を有する遊技機であるか否かを設定する遊技機設定手段を有し、
前記信号入出力手段は、該遊技機設定手段により前記対応する遊技機が前記遊技媒体貸与機能を有しない遊技機であると設定されたときには、少なくとも前記遊技機より遊技媒体を貸与するために必要な信号を受信する機能を不能動化することを特徴とする遊技用装置。
【請求項３】
請求項２に記載した遊技用装置であって、
前記遊技機設定手段は、当該遊技用装置を管理する管理装置から送信されてくる、前記対応する遊技機が前記遊技媒体貸与機能を有する遊技機であるか否かを示す情報に基づいて、前記設定を行うことを特徴とする遊技用装置。
【請求項４】
請求項１〜３のいずれか１つに記載した遊技用装置であって、
予め定められた単位金額に対して前記遊技媒体払出手段により払い出す遊技媒体の数を設定する払出遊技媒体数設定手段を有し、
前記遊技媒体払出手段は、前記単位金額に対して該払出遊技媒体数設定手段により設定された数の遊技媒体を払い出すことを特徴とする遊技用装置。
【発明の詳細な説明】
【技術分野】
【０００１】
本発明は、遊技機に対応して設けられ、貨幣を受け付けて、該受け付けた貨幣の金額の範囲内における所定の金額に相当する数の遊技媒体を払い出して貸与する遊技用装置に関する。
【背景技術】
【０００２】
従来より、特許文献１に示すように、遊技媒体（パチンコ玉）の貸与を指令する貸与指令信号に応じて遊技媒体を貸与する遊技媒体貸与機能を有しない遊技機（いわゆる現金式のパチンコ機）に対応して設けられ、貨幣を受け付けて、該受け付けた貨幣の金額に相当する数の遊技媒体を、自らに設けられた遊技媒体貸出手段より払い出して貸与する遊技用装置（いわゆる現金玉貸ユニット）が知られている。
【０００３】
また、特許文献２に示すように、前記遊技媒体貸与機能を有する遊技機（いわゆるＣＲ式のパチンコ機）に対応して設けられ、有価価値の大きさ（カード残額）を特定可能な情報が記録された記録媒体（プリペイドカード）を受付可能であると共に、前記対応する遊技機と通信可能であり、当該遊技機との間で該遊技機より遊技媒体を貸与するために必要な信号の送受信を行うことにより、前記受け付けた記録媒体の記録情報から特定される有価価値の大きさの範囲内における所定の大きさの有価価値に相当する数の遊技媒体を、前記遊技媒体貸与機能を有する遊技機より払い出して貸与する遊技用装置（いわゆるＣＲ玉貸ユニット）も知られている。
【０００４】
【特許文献１】特開２００３−２２５４４４号公報（第３〜４頁，図２）
【特許文献２】特開平５−２３７２４６号公報（第１２〜１３頁，図１０）
【発明の開示】
【発明が解決しようとする課題】
【０００５】
しかしながら、上記特許文献２に示すような遊技媒体貸与機能を有する遊技機（ＣＲ式のパチンコ機）を、上記特許文献１に示すような貨幣を受け付けて遊技媒体を払い出す遊技用装置（現金玉貸ユニット）に対応して設置した場合には、当該遊技機と遊技用装置との間で遊技媒体を貸与するために必要な信号の送受信を行うことができないため、遊技機側でエラーとなり遊技を行うことができないという問題がある。またその場合には、当該遊技機に設けられており、遊技媒体を貸与するために必要な信号を送受信するための信号線が接続される接続ポートが空いてしまうため、該空いている接続ポートから不正な信号が遊技機に入力されるおそれがあるという問題もある。
【０００６】
本発明は、このような背景のもとになされたものであり、その目的は、自ら遊技媒体を払い出して貸与できると共に、遊技媒体の貸与を指令する貸与指令信号に応じて遊技媒体を貸与する遊技媒体貸与機能を有する遊技機に対応して設置された場合であっても、当該遊技機での遊技を行うことができ、当該遊技機に設けられている接続ポートが空いてしまうことがないような遊技用装置を提供することにある。
【課題を解決するための手段】
【０００７】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００８】
まず請求項１に係る発明は、遊技機（パチンコ機１００）に対応して設けられ、貨幣（紙幣２，硬貨３）を受け付ける貨幣受付手段（紙幣識別機２４０，硬貨識別機２５０）と、該貨幣受付手段により受け付けた貨幣の金額の範囲内における所定の金額に相当する数の遊技媒体（パチンコ玉）を払い出す遊技媒体払出手段（玉払出機２６０）と、を有する遊技用装置（現金玉貸ユニット２００）であって、遊技媒体の貸与を指令する貸与指令信号に応じて遊技媒体を貸与する遊技媒体貸与機能を有する遊技機（ＣＲ式のパチンコ機１００）に対して遊技媒体の貸与を指令できる状態にあることを示す信号（ＰＳＩのＬＯＷ，ＢＲＤＹのＨＩＧＨ，ＢＲＱのＨＩＧＨ）を送信すると共に、該遊技機より遊技媒体を貸与するために必要な信号（ＰＲＤＹのＬＯＷ，ＥＸＳのＨＩＧＨ）を当該遊技機から受信する信号入出力手段（ユニット制御部２２０のＩ／Ｏ２２５）を有し、前記遊技媒体払出手段は、該信号入出力手段における信号の入出力状態に拘わらず遊技媒体の払出を行うことを特徴とする遊技用装置である。
【０００９】
また請求項２に係る発明は、請求項１に記載した遊技用装置（現金玉貸ユニット２００）であって、前記対応する遊技機（パチンコ機１００）が前記遊技媒体貸与機能を有する遊技機（ＣＲ式のパチンコ機１００）であるか否かを設定する遊技機設定手段（ユニット制御部２２０）を有し、前記信号入出力手段（ユニット制御部２２０のＩ／Ｏ２２５）は、該遊技機設定手段により前記対応する遊技機が前記遊技媒体貸与機能を有しない遊技機（現金式のパチンコ機１００’）であると設定されたときには、少なくとも前記遊技機より遊技媒体を貸与するために必要な信号（ＰＲＤＹのＬＯＷ，ＥＸＳのＨＩＧＨ）を受信する機能を不能動化することを特徴とする遊技用装置である。
【００１０】
また請求項３に係る発明は、請求項２に記載した遊技用装置（現金玉貸ユニット２００）であって、前記遊技機設定手段（ユニット制御部２２０）は、当該遊技用装置を管理する管理装置（システムコントローラ１０）から送信されてくる、前記対応する遊技機（パチンコ機１００）が前記遊技媒体貸与機能を有する遊技機（ＣＲ式のパチンコ機１００）であるか否かを示す情報に基づいて、前記設定を行うことを特徴とする遊技用装置である。
【００１１】
さらに請求項４に係る発明は、請求項１〜３のいずれか１つに記載した遊技用装置（現金玉貸ユニット２００）であって、予め定められた単位金額（１００円）に対して前記遊技媒体払出手段（玉払出機２６０）により払い出す遊技媒体の数（単位払出玉数）を設定する払出遊技媒体数設定手段（ユニット制御部２２０）を有し、前記遊技媒体払出手段は、前記単位金額に対して該払出遊技媒体数設定手段により設定された数の遊技媒体を払い出すことを特徴とする遊技用装置である。
【発明の効果】
【００１２】
まず請求項１に係る遊技用装置によれば、自ら遊技媒体を払い出して貸与できると共に、遊技媒体の貸与を指令する貸与指令信号に応じて遊技媒体を貸与する遊技媒体貸与機能を有する遊技機に対応して設置された場合であっても、該遊技機に対して遊技媒体の貸与を指令できる状態にあることを示す信号を送信すると共に、該遊技機より遊技媒体を貸与するために必要な信号を当該遊技機から受信することができるので、遊技機側でエラーとなり遊技を行うことができないということがない。またその場合であっても、当該遊技機に設けられている接続ポートが空いてしまうこともないので、セキュリティも担保される。
【００１３】
また請求項２に係る遊技用装置によれば、対応する遊技機が遊技媒体貸与機能を有しないとき、即ち該遊技機と接続されないときには、少なくとも該遊技機より遊技媒体を貸与するために必要な信号を受信する機能が不能動化されるので、信号入出力手段を介して不正な信号が入力され、例えば不正に遊技媒体が払い出されるようなおそれがなくなる。
【００１４】
また請求項３に係る遊技用装置によれば、管理装置から送信されてくる情報に基づいて、対応する遊技機が遊技媒体貸与機能を有する遊技機であるか否かの設定が行われるので、各遊技用装置において該設定操作を行う手間が省ける。
【００１５】
さらに請求項４に係る遊技用装置によれば、単位金額に対して設定された数の遊技媒体が払い出されるので、消費税率に応じて単位金額に対する遊技媒体の数を設定することにより、消費税を徴収することができる。
【発明を実施するための最良の形態】
【００１６】
以下、本発明の実施の形態を、図面を参照して説明する。なお、以下においては、信号入出力部を「Ｉ／Ｏ」，リーダ／ライタを「Ｒ／Ｗ」と略記する。本発明に係る遊技用装置（現金玉貸ユニット２００）は、図２に示すように、遊技機（パチンコ機１００）に対応して設けられ、貨幣（紙幣２，硬貨３）を受け付けて、該受け付けた貨幣の金額の範囲内における所定の金額に相当する数の遊技媒体（パチンコ玉）を払い出して貸与するものであり、特に自ら遊技媒体を払い出して貸与できると共に、遊技媒体の貸与を指令する貸与指令信号に応じて遊技媒体を貸与する遊技媒体貸与機能を有する遊技機（ＣＲ式のパチンコ機１００）に対応して設置された場合であっても、当該遊技機での遊技を行うことができ、当該遊技機に設けられている接続ポートが空いてしまうことがないことを特徴とするものである。
【００１７】
ここで現金玉貸ユニット２００は、図１に示すように、前記遊技媒体貸与機能を有する遊技機であるＣＲ式のパチンコ機１００（以下単に「ＣＲ機」ともいう。），又は前記遊技媒体貸与機能を有しない遊技機である現金式のパチンコ機１００’（以下単に「現金機」ともいう。）のいずれか一方に対応して設置されている。各現金玉貸ユニット２００は、ユニットＩＤにより個々に識別可能とされており、システムコントローラ１０と通信可能に接続されている。これら現金玉貸ユニット２００とシステムコントローラ１０とで、遊技用システム１が構成されている。システムコントローラ１０は管理装置の一例であって、当該現金玉貸ユニット２００を管理するものであり、遊技場内の所定箇所（例えば管理事務所等）に設けられている。
【００１８】
このシステムコントローラ１０では、各現金玉貸ユニット２００に対応する遊技機が前記遊技媒体貸与機能を有するＣＲ式のパチンコ機１００であるか否か（即ち対応する遊技機がＣＲ機であるか，又は現金機であるか）を設定する遊技機設定が行われる。具体的には、システムコントローラ１０において、遊技場の係員の操作により、遊技機設定モードが実行されると、図１に示す遊技機設定画面が、システムコントローラ１０に設けられたディスプレイ（図示外）に表示される。
【００１９】
この遊技機設定画面では、各現金玉貸ユニット２００のユニットＩＤを入力する入力欄と、該入力されたユニットＩＤの現金玉貸ユニット２００に対応する遊技機がＣＲ機であるか，又は現金機であるかを設定するコンボボックスが表示される。ここで遊技場の係員の操作により、前記入力欄にユニットＩＤが入力され、前記コンボボックスからＣＲ機又は現金機が選択されて、「設定」ボタンが操作されると、該入力・選択された内容に基づいて遊技機設定が行われる。そして該遊技機設定に基づいて、各現金玉貸ユニット２００に対応する遊技機が前記遊技媒体貸与機能を有するＣＲ式のパチンコ機１００であるか否かを示す設定情報が、各現金玉貸ユニット２００に対して送信される。
【００２０】
またシステムコントローラ１０では、予め定められた単位金額（例えば１００円＝１度数）に対して払い出す遊技媒体の数（単位払出玉数）を設定する単位払出玉数設定が行われる。具体的には、システムコントローラ１０において、遊技場の係員の操作により、単位払出玉数設定モードが実行されると、図１に示す単位払出玉数設定画面が、システムコントローラ１０に設けられたディスプレイ（図示外）に表示される。
【００２１】
この単位払出玉数設定画面では、単位払出玉数を入力する入力欄が表示される。この単位払出玉数は、遊技媒体１個の貸与料金と消費税率を考慮して決定され、例えば貸与料金が４円であり消費税率が５％である場合には、単位金額（即ち１００円）÷消費税を含む遊技媒体１個の貸与料金（即ち４．２円）≒２３．８個の式で演算された商の１個未満のパチンコ玉数を切り上げて２４個と決定される（即ち４．２円未満の端数金額については、遊技場の負担でパチンコ玉を貸与する）。ここで遊技場の係員の操作により、前記入力欄に前述の如く決定された単位払出玉数（ここでは２４個）が入力されて、「設定」ボタンが操作されると、該入力された内容に基づいて単位払出玉数設定が行われる。そして該単位払出玉数設定に基づいて、単位払出玉数を示す設定情報が、各現金玉貸ユニット２００に対して送信される。
【００２２】
また現金玉貸ユニット２００では、図２（ｂ）に示すように、紙幣２，硬貨３，及び精算カード４が使用される。紙幣２は貨幣の一例であって、ここでは1000円紙幣，2000円紙幣，5000円紙幣，及び10000円紙幣の４種類の紙幣が使用可能である。硬貨３も貨幣の一例であって、ここでは100円硬貨，及び500円硬貨である。精算カード４は、後述する貨幣受付手段（紙幣識別機２４０，硬貨識別機２５０）により受け付けた貨幣の金額（入金額）のうちの遊技媒体の貸与に使用されなかった貨幣の金額（残額）を特定可能な情報が記録された記録媒体であり、ここでは該情報として残額自体が記録される。この精算カード４は、長方形状を呈するプラスチック製の薄板における所定の部位に、残額が記録される記録領域（図示外）が形成されてなるものであり、ここでは該記録領域として不揮発性のＥＥＰＲＯＭを備える非接触式の集積回路を搭載したＩＣカードである。
【００２３】
現金玉貸ユニット２００に対応して設けられるパチンコ機１００，１００’は前記遊技機の一例であって、遊技場における遊技島（図示外）において機種等に従って所定の位置に配置され、遊技媒体であるパチンコ玉を遊技領域１１０に打ち込むことにより遊技を行うものである。ここで前記遊技媒体貸与機能を有するＣＲ式のパチンコ機１００は、対応する現金玉貸ユニット２００と接続されるものであり、後述する図３に示すように、パチンコ玉を貸与するために必要な信号を送受信するための信号線（ＰＳＩ信号線，ＢＲＤＹ信号線，ＢＲＱ信号線，ＰＲＤＹ信号線，及びＥＸＳ信号線）が接続される接続ポート（Ｉ／Ｏ１６２）が設けられている。一方、前記遊技媒体貸与機能を有しない現金式のパチンコ機１００’は、対応する現金玉貸ユニット２００とは接続されないものであり、前記接続ポートは設けられていない。
【００２４】
これらパチンコ機１００，１００’では、対応する現金玉貸ユニット２００より払い出されて貸与されたパチンコ玉を使用して遊技が行われる。即ちＣＲ式のパチンコ機１００は、遊技に使用可能な有価価値の大きさ（例えばカード残額）を特定可能な情報が記録された遊技用記録媒体（例えばプリペイドカード）を受付可能なＣＲ玉貸ユニットに対応して設置された場合には、玉貸操作（例えばＣＲ式のパチンコ機１００に設けられた玉貸ボタンの操作）に基づいて、該ＣＲ玉貸ユニットとの間でパチンコ玉の貸与に関する信号のやり取りが行われ、前記受け付けた遊技用記録媒体の記録情報から特定される有価価値の大きさの範囲内における所定の大きさの有価価値に相当する数のパチンコ玉が該パチンコ機１００より払い出されて貸与されるが、本発明の如く現金玉貸ユニット２００に対応して設置された場合には、該パチンコ機１００よりパチンコ玉の貸与は行われない。なおパチンコ機１００，１００’は、前記接続ポートの有無を除いて略同様であるので、以下においては、ＣＲ式のパチンコ機１００について説明する。
【００２５】
パチンコ機１００は、図２（ａ）に示すように、その前面に遊技領域１１０，発射ハンドル１３０，上皿１２０，及び下皿１４０等を備え、図３に示すように、その内部に主基板１５０，払出制御基板１６０，及び賞球払出装置１７０等を備え、図２（ｂ）に示すように、その背後に中継基板１９０を備えており、これらの各構成要素は図３に示すように接続されている。
【００２６】
遊技領域１１０には、始動入賞口，大入賞口，一般入賞口等の複数の入賞口や、複数種類の識別情報である図柄を可変表示可能な可変表示装置等が設けられている。発射ハンドル１３０は、パチンコ玉を遊技領域１１０に打ち込むための操作を受け付けるものであり、右に回すことによりパチンコ玉が発射されて遊技領域１１０に打ち込まれる。上皿１２０は、現金玉貸ユニット２００の後述する玉払出機２６０から貸玉として払い出されてノズル２６３を介して供給されるパチンコ玉，及び賞球払出装置１７０から賞球として払い出されるパチンコ玉を貯留するものであり、下皿１４０は、賞球払出装置１７０から賞球として払い出されるパチンコ玉のうちの上皿１２０に貯留しきれない余剰のパチンコ玉を貯留するものである。
【００２７】
主基板１５０は、パチンコ機１００における遊技に関する制御を実行するものである。払出制御基板１６０は、パチンコ機１００におけるパチンコ玉の払出に関する制御を実行するものであり、払出制御用ＣＰＵ１６１，Ｉ／Ｏ１６２等を備えている。払出制御用ＣＰＵ１６１は、遊技の結果として遊技者に付与されるパチンコ玉である賞球の払出を賞球払出装置１７０に対して指示するものであり、賞球払出装置１７０は、払出制御用ＣＰＵ１６１からの指示に応じて賞球を払い出すものである。
【００２８】
Ｉ／Ｏ１６２は、中継基板１９０を介して、現金玉貸ユニット２００の後述するユニット制御部２２０に設けられたＩ／Ｏ２２５と接続されている。このＩ／Ｏ１６２には、当該パチンコ機１００からパチンコ玉を貸与するために必要な信号を送受信するための信号線（ＰＳＩ信号線，ＢＲＤＹ信号線，ＢＲＱ信号線，ＰＲＤＹ信号線，及びＥＸＳ信号線）が接続される接続ポートが設けられている。本発明は、現金玉貸ユニット２００に対応してＣＲ式のパチンコ機１００が設置された場合であっても、該接続ポートが空いてしまうことがないようにすることを特徴とするものである。なお前述の如く、現金式のパチンコ機１００’には、該接続ポートは設けられていない。
【００２９】
中継基板１９０は、パチンコ機１００と現金玉貸ユニット２００との間を接続する信号線であるＰＳＩ信号線，ＰＲＤＹ信号線，ＢＲＤＹ信号線，ＢＲＱ信号線，及びＥＸＳ信号線の間に介在され、パチンコ機１００と現金玉貸ユニット２００との間で送受信される各種の信号を中継するための基板である。なお、これらの信号線の詳細については後述する。
【００３０】
現金玉貸ユニット２００は前記遊技用装置の一例であって、パチンコ機１００，１００’に対応して（ここではパチンコ機１００，１００’の左側に隣接して）設けられ、縦長の箱型の形状を呈するものであり、図２（ａ）に示すように、その前面に紙幣挿入口２４１，硬貨挿入口２５１，硬貨返却ボタン２５４，残度数表示器２６１，玉貸ボタン２６２，ノズル２６３，硬貨返却口２５６，精算カード排出口２７１等を備え、図２（ｂ）に示すように、紙幣識別機２４０，検出回路２１０，ユニット制御部２２０，玉払出機２６０，硬貨識別機２５０，カードＲ／Ｗ制御部２３０，精算カードＲ／Ｗ２７０，及び精算カードストッカ２７２等を備えており、これらの各構成要素は図３に示すように接続されている。
【００３１】
検出回路２１０は、玉貸ボタン２６２の操作，及び精算ボタン２７３の操作を検出するものである。ユニット制御部２２０は、ＣＰＵ２２１，ＲＯＭ２２２，ＲＡＭ２２３，ＥＥＰＲＯＭ２２４，及びＩ／Ｏ２２５等を備えており、ＲＯＭ２２２に記録されている処理プログラムがＲＡＭ２２３を作業領域としてＣＰＵ２２１で実行されることにより、該ユニット制御部２２０に接続される各構成要素の動作を制御して各種の処理を行うものである。ここで揮発性の記憶装置であるＲＡＭ２２３には、後述する貨幣受付手段（紙幣識別機２４０，硬貨識別機２５０）により受け付けられた貨幣の金額が記憶され、該記憶されている貨幣の金額（残額）からは、パチンコ玉の貸与が行われる毎に該パチンコ玉の貸与に使用された金額が減算更新される。
【００３２】
このユニット制御部２２０は遊技機設定手段の一例であって、対応する遊技機が前記遊技媒体貸与機能を有するＣＲ式のパチンコ機１００であるか否か（即ち対応する遊技機がＣＲ機であるか，又は現金機であるか）を設定するものであり、ここでは前記システムコントローラ１０から送信されてくる、当該現金玉貸ユニット２００に対応する遊技機が前記遊技媒体貸与機能を有するＣＲ式のパチンコ機１００であるか否かを示す設定情報（図１を参照）に基づいて、前記設定を行う。このように、システムコントローラ１０から送信されてくる情報に基づいて、対応する遊技機が前記遊技媒体貸与機能を有するＣＲ式のパチンコ機１００であるか否かの設定が行われるので、各現金玉貸ユニット２００において該設定操作を行う手間が省ける。この設定は、不揮発性の記憶装置であるＥＥＰＲＯＭ２２４に記憶される。
【００３３】
またユニット制御部２２０は払出遊技媒体数設定手段の一例であって、予め定められた単位金額（例えば１００円＝１度数）に対して後述する遊技媒体払出手段により払い出す遊技媒体の数（単位払出玉数）を設定するものであり、ここでは前記システムコントローラ１０から送信されてくる、単位払出玉数を示す設定情報（図１を参照）に基づいて、前記設定を行う。この設定も、不揮発性の記憶装置であるＥＥＰＲＯＭ２２４に記憶される。
【００３４】
Ｉ／Ｏ２２５は、前述の如く、Ｉ／Ｏ１６２と接続されている。このＩ／Ｏ２２５は信号入出力手段の一例であって、ＣＲ式のパチンコ機１００に対してパチンコ玉の貸与を指令できる状態にあることを示す信号（ＰＳＩのＬＯＷ，ＢＲＤＹのＨＩＧＨ，ＢＲＱのＨＩＧＨ）を送信すると共に、該ＣＲ式のパチンコ機１００よりパチンコ玉を貸与するために必要な信号（ＰＲＤＹのＬＯＷ，ＥＸＳのＨＩＧＨ）を当該ＣＲ式のパチンコ機１００から受信するものであり、また前記遊技機設定手段（ユニット制御部２２０）により前記対応する遊技機が現金式のパチンコ機１００’であると設定されたときには、少なくとも遊技機よりパチンコ玉を貸与するために必要な信号を受信する機能を不能動化するものであるが、その機能の詳細については図５を参照して後述する。
【００３５】
カードＲ／Ｗ制御部２３０は、ＣＰＵ，ＲＡＭ，ＲＯＭ等を備えており、ＲＯＭに記憶されている処理プログラムがＲＡＭを作業領域としてＣＰＵで実行されることにより、該カードＲ／Ｗ制御部２３０に接続される精算カードＲ／Ｗ２７０，及び精算カードストッカ２７２の動作を制御して各種の処理を行うものである。このカードＲ／Ｗ制御部２３０は、システムコントローラ１０と通信可能に接続されている。
【００３６】
紙幣識別機２４０は貨幣受付手段の一例であって、貨幣を受け付けるものであり、ここでは図２（ｂ）に示すように、紙幣挿入口２４１から1000円紙幣，2000円紙幣，5000円紙幣，又は10000円紙幣を受け付けて、該受け付けた紙幣２の金額を識別する識別機である。ここで識別された紙幣２の金額は、前述の如くユニット制御部２２０のＲＡＭ２２３に記憶される。なお紙幣識別機２４０により受け付けられた紙幣２は、紙幣通路２４２を通じて現金玉貸ユニット２００の背面から外部に排出され、遊技島に設けられた紙幣搬送機構（図示外）により搬送されて、金庫（図示外）に回収される。
【００３７】
硬貨識別機２５０も貨幣受付手段の一例であって、貨幣を受け付けるものであり、ここでは図２（ｂ）に示すように、硬貨挿入口２５１から100円硬貨，又は500円硬貨を受け付けて、硬貨通路２５２を通じて搬送された硬貨３を識別する識別機である。ここで識別された硬貨３の金額も、前述の如くユニット制御部２２０のＲＡＭ２２３に記憶される。なお硬貨識別機２５０により受け付けられた硬貨３も、硬貨通路２５３を通じて現金玉貸ユニット２００の背面から外部に排出され、遊技島に設けられた硬貨搬送機構（図示外）により搬送されて、金庫（図示外）に回収される。硬貨返却ボタン２５４は、硬貨通路２５２や硬貨識別機２５０において詰まった硬貨３の返却操作を受け付けるためのボタンであり、遊技者により硬貨返却ボタン２５４が操作されると、該詰まった硬貨３が硬貨通路２５５を通じて硬貨返却口２５６に戻る。
【００３８】
玉払出機２６０は遊技媒体払出手段の一例であって、前記貨幣受付手段（紙幣識別機２４０，硬貨識別機２５０）により受け付けた貨幣（紙幣２，硬貨３）の金額の範囲内における所定の金額に相当する数のパチンコ玉を払い出すものであり、ここでは前記信号入出力手段（Ｉ／Ｏ２２５）における信号の入出力状態に拘わらずパチンコ玉の払出を行うものである。また遊技媒体払出手段として機能する玉払出機２６０は、前記単位金額（ここでは１００円＝１度数）に対して前記払出遊技媒体数設定手段（ユニット制御部２２０）により設定された数のパチンコ玉を払い出すものである。
【００３９】
残度数表示器２６１は、ユニット制御部２２０のＲＡＭ２２３に記憶されている残額に相当する残度数を表示するものである。ここで度数は、金額が所定の比率（例えば１００円＝１度数）で換算された値である。玉貸ボタン２６２は、前記貨幣受付手段により受け付けた貨幣の金額（ここではユニット制御部２２０のＲＡＭ２２３に記憶されている残額）を使用したパチンコ玉の貸与の要求（即ち玉貸要求）を受け付けるためのボタンである。ノズル２６３は、玉払出機２６０から貸玉として払い出されたパチンコ玉をＣＲ式のパチンコ機１００の上皿１２０に供給するための通路である。
【００４０】
ここで現金玉貸ユニット２００において玉貸ボタン２６２が操作された場合の作用について説明する。まずユニット制御部２２０のＲＡＭ２２３に残額が記憶されており、該残楽に相当する残度数が残度数表示器２６１に表示されている状態で、遊技者により玉貸ボタン２６２が操作されると、ユニット制御部２２０において、ＲＡＭ２２３に記憶されている残額が、予め設定されている所定の金額（例えば５００円＝５度数）以上であるか否かの判断が行われる。ここで残額が所定の金額以上であると判断された場合には、該所定の金額を単位金額で除算した度数（即ち５度数）が玉貸使用度数としてセットされる。一方、残額が所定の金額以上でないと判断された場合には、該残額を単位金額で除算した度数が玉貸使用度数としてセットされる。
【００４１】
次にユニット制御部２２０から玉払出機２６０に対して、ＥＥＰＲＯＭ２２４に記憶されている単位払出玉数（例えば１００円＝１度数で２４個）のパチンコ玉の払出が指令され、該通知に基づいて、玉払出機２６０から単位払出玉数のパチンコ玉が払い出される。このように、単位金額に対して設定された数（即ち単位払出玉数）のパチンコ玉が払い出されるので、消費税率に応じて単位金額に対するパチンコ玉の数を設定することにより、消費税を徴収することができる。玉払出機２６０から単位払出玉数のパチンコ玉の払出が完了すると、玉払出機２６０からユニット制御部２２０に対して、その旨が通知され、該通知に基づいて、ユニット制御部２２０において、ＲＡＭ２２３に記憶されている残額から１度数に相当する金額（即ち１００円）が減算更新されると共に、残度数表示器２６１に表示されている残度数から１度数が減算表示されて、１度数分の玉貸処理が完了する。そして該１度数分の玉貸処理が前記セットされた玉貸使用度数分だけ繰り返されると玉貸処理が終了し、ユニット制御部２２０からカードＲ／Ｗ制御部２３０を介してシステムコントローラ１０に対して、玉貸使用度数に相当する玉貸使用金額が送信される。
【００４２】
精算カードＲ／Ｗ２７０は、遊技者により精算ボタン２７３が操作されたときに、ユニット制御部２２０のＲＡＭ２２３に記憶されている残額を、精算カードストッカ２７２に貯留されている精算カード４の中から該精算カードＲ／Ｗ２７０に搬送されてきた精算カード４に対して記録し、該残額が記録された精算カード４を、精算カード排出口２７１から排出するものである。この残額が記録された精算カード４を、精算装置（図示外）に挿入することにより、該精算装置から前記記録されている残額に相当する貨幣が返却される。また残額が記録された精算カード４を現金玉貸ユニット２００の精算カードＲ／Ｗ２７０に挿入することにより、玉払出機２６０から前記記録されている残額に応じたパチンコ玉が払い出されて、対応するＣＲ式のパチンコ機１００において遊技を行うことができる。さらに残額が記録された精算カード４をＣＲ玉貸ユニットに挿入することにより、該ＣＲ玉貸ユニットに対応するＣＲ式のパチンコ機１００において前記記録されている残額を使用した遊技を行うことができる。これによれば、貨幣受付手段により受け付けた貨幣の金額のうちのパチンコ玉の貸与に使用されなかった貨幣の金額（残額）を、遊技者に対して返却することができる。
【００４３】
次に図３を参照して、本発明に係る現金玉貸ユニット２００（又は前述したＣＲ玉貸ユニット）とＣＲ式のパチンコ機１００との間を接続するＰＳＩ信号線，ＢＲＤＹ信号線，ＢＲＱ信号線，ＰＲＤＹ信号線，及びＥＸＳ信号線について説明する。
【００４４】
ＰＳＩ信号線は、パチンコ玉の貸与を指令できる状態にあることを示す信号として、パチンコ機１００との接続確認を行うための接続確認信号を、パチンコ機１００に対して送信するための信号線である。具体的には、パチンコ機１００及び現金玉貸ユニット２００（又はＣＲ玉貸ユニット）の電源投入時において、当該ＰＳＩ信号線に印加される電圧がＬＯＷとなることにより、パチンコ機１００は、現金玉貸ユニット２００（又はＣＲ玉貸ユニット）がパチンコ玉の貸与を指令できる状態にあることを認識する。即ち現金玉貸ユニット２００（又はＣＲ玉貸ユニット）からパチンコ機１００に対して、パチンコ玉の貸与を指令できる状態にあることを示す信号が送信される。このＰＳＩ信号線は、現金玉貸ユニット２００側においてユニット制御部２２０のＩ／Ｏ２２５に接続されると共に、パチンコ機１００側において払出制御基板１６０のＩ／Ｏ１６２に接続される信号線である。
【００４５】
ＰＲＤＹ信号線は、パチンコ機１００よりパチンコ玉を貸与するために必要な信号として、パチンコ機１００との間における通信が可能な状態（スタンバイ状態）である旨を示す払出可能信号を、パチンコ機１００から受信するための信号線である。具体的には、パチンコ機１００における前記接続確認信号の検出に伴い、当該ＰＲＤＹ信号線に印加される電圧がＬＯＷとなることにより、パチンコ機１００は、現金玉貸ユニット２００（又はＣＲ玉貸ユニット）が当該パチンコ機１００よりパチンコ玉を貸与するために必要な信号を受信できる状態にあることを認識する。即ちパチンコ機１００から現金玉貸ユニット２００（又はＣＲ玉貸ユニット）に対して、当該パチンコ機１００よりパチンコ玉を貸与するために必要な信号が送信され、当該送信された信号が現金玉貸ユニット２００（又はＣＲ玉貸ユニット）において受信される。このＰＲＤＹ信号線は、パチンコ機１００側において払出制御基板１６０のＩ／Ｏ１６２に接続されると共に、現金玉貸ユニット２００側においてユニット制御部２２０のＩ／Ｏ２２５に接続される信号線である。
【００４６】
ＢＲＤＹ信号線は、パチンコ玉の貸与を指令できる状態にあることを示す信号を、パチンコ機１００に対して送信するための信号線である。具体的には、パチンコ機１００及び現金玉貸ユニット２００（又はＣＲ玉貸ユニット）の電源投入時において、当該ＢＲＤＹ信号線に印加される電圧がＨＩＧＨとなることにより、パチンコ機１００は、現金玉貸ユニット２００（又はＣＲ玉貸ユニット）がパチンコ玉の貸与を指令できる状態にあることを認識する。即ち現金玉貸ユニット２００（又はＣＲ玉貸ユニット）からパチンコ機１００に対して、パチンコ玉の貸与を指令できる状態にあることを示す信号が送信される。またＢＲＤＹ信号線は、ＣＲ玉貸ユニットにおいては、玉貸可能信号をパチンコ機１００に対して送信するための信号線であり、また玉貸終了信号をパチンコ機１００に対して送信するための信号線である。具体的には、前記払出可能信号を受信しているスタンバイ状態において前記玉貸操作が有ったときに、当該ＢＲＤＹ信号線に印加される電圧がＬＯＷとなることにより、ＣＲ玉貸ユニットからパチンコ機１００に対して玉貸可能信号が送信され、またセットされた玉貸使用度数分の玉貸処理が終了したときに、当該ＢＲＤＹ信号線に印加される電圧がＨＩＧＨとなることにより、ＣＲ玉貸ユニットからパチンコ機１００に対して玉貸終了信号が送信される。このＢＲＤＹ信号線は、現金玉貸ユニット２００側においてユニット制御部２２０のＩ／Ｏ２２５に接続されると共に、パチンコ機１００側において払出制御基板１６０のＩ／Ｏ１６２に接続される信号線である。
【００４７】
ＢＲＱ信号線は、パチンコ玉の貸与を指令できる状態にあることを示す信号を、パチンコ機１００に対して送信するための信号線である。具体的には、パチンコ機１００及び現金玉貸ユニット２００（又はＣＲ玉貸ユニット）の電源投入時において、当該ＢＲＱ信号線に印加される電圧がＨＩＧＨとなることにより、パチンコ機１００は、現金玉貸ユニット２００（又はＣＲ玉貸ユニット）がパチンコ玉の貸与を指令できる状態にあることを認識する。即ち現金玉貸ユニット２００（又はＣＲ玉貸ユニット）からパチンコ機１００に対して、パチンコ玉の貸与を指令できる状態にあることを示す信号が送信される。またＢＲＱ信号線は、ＣＲ玉貸ユニットにおいては、単位金額＝１度数に相当する数のパチンコ玉の貸与を要求する玉貸要求信号をパチンコ機１００に対して送信するための信号線であり、また単位金額＝１度数に相当する数のパチンコ玉の貸与を指令する玉貸指令信号をパチンコ機１００に対して送信するための信号線である。具体的には、前記ＢＲＤＹ信号線に印加される電圧がＬＯＷとなっているときに、当該ＢＲＱ信号線に印加される電圧がＬＯＷとなることにより、ＣＲ玉貸ユニットからパチンコ機１００に対して玉貸要求信号が送信され、また前記ＢＲＤＹ信号線に印加される電圧がＬＯＷとなっているときに、当該ＢＲＱ信号線に印加される電圧がＨＩＧＨとなることにより、ＣＲ玉貸ユニットからパチンコ機１００に対して玉貸指令信号が送信される。このＢＲＱ信号線は、現金玉貸ユニット２００側においてユニット制御部２２０のＩ／Ｏ２２５に接続されると共に、パチンコ機１００側において払出制御基板１６０のＩ／Ｏ１６２に接続される信号線である。
【００４８】
ＥＸＳ信号線は、パチンコ機１００よりパチンコ玉を貸与するために必要な信号を、パチンコ機１００から受信するための信号線である。具体的には、パチンコ機１００及び現金玉貸ユニット２００（又はＣＲ玉貸ユニット）の電源投入時において、当該ＥＸＳ信号線に印加される電圧がＨＩＧＨとなることにより、パチンコ機１００は、現金玉貸ユニット２００（又はＣＲ玉貸ユニット）が当該パチンコ機１００よりパチンコ玉を貸与するために必要な信号を受信できる状態にあることを認識する。即ちパチンコ機１００から現金玉貸ユニット２００（又はＣＲ玉貸ユニット）に対して、当該パチンコ機１００よりパチンコ玉を貸与するために必要な信号が送信され、当該送信された信号が現金玉貸ユニット２００（又はＣＲ玉貸ユニット）において受信される。またＥＸＳ信号線は、ＣＲ玉貸ユニットにおいては、単位金額＝１度数に相当する数のパチンコ玉の貸与を準備する旨が整った旨を示す玉貸準備信号をパチンコ機１００から受信するための信号線であり、また単位金額＝１度数に相当する数のパチンコ玉の貸与が完了した旨を示す玉貸完了信号をパチンコ機１００から受信するための信号線である。具体的には、前記ＢＲＤＹ信号線に印加される電圧がＬＯＷとなっているときに、当該ＥＸＳ信号線に印加される電圧がＬＯＷとなることにより、パチンコ機１００からＣＲ玉貸ユニットに対して玉貸準備信号が送信され、また前記ＢＲＤＹ信号線に印加される電圧がＬＯＷとなっているときに、当該ＥＸＳ信号線に印加される電圧がＨＩＧＨとなることにより、パチンコ機１００からＣＲ玉貸ユニットに対して玉貸完了信号が送信される。このＥＸＳ信号線は、パチンコ機１００側において払出制御基板１６０のＩ／Ｏ１６２に接続されると共に、現金玉貸ユニット２００側においてユニット制御部２２０のＩ／Ｏ２２５に接続される信号線である。
【００４９】
次に図４を参照して、ＣＲ式のパチンコ機１００と本発明に係る現金玉貸ユニット２００との間におけるインターフェイスについて説明する。なおＣＲ式のパチンコ機１００とＣＲ玉貸ユニットとの間におけるインターフェイスも、図４と同様である。
【００５０】
図４は、パチンコ機１００と現金玉貸ユニット２００との間での信号の送受信を行うための回路の一例を表す回路図である。この回路図に示されるように、パチンコ機１００と現金玉貸ユニット２００とが中継基板１９０を介して接続されると、パチンコ機１００側に設けられる交流電源５００から出力される交流電圧２４Ｖが中継基板１９０を介して現金玉貸ユニット２００側の電源回路５０１に入力される。この電源回路５０１は、整流回路や平滑コンデンサを含み、整流回路によって交流電圧２４Ｖを直流電圧（１８Ｖ）に変換し、平滑コンデンサによってリップルを平滑化して、各種の回路や電子装置に印可するためのものである。この電源回路５０１からは直流電圧ＶＬ（ＤＣ＋１８Ｖ）が供給される。
【００５１】
ユニット制御部２２０のＩ／Ｏ２２５には、フォトカプラ４０１〜４０３が接続され、払出制御基板１６０のＩ／Ｏ１６２には、フォトカプラ３０２〜３０３が接続されている。そしてフォトカプラ４０１にはＰＳＩ信号線が接続され、フォトカプラ４０２とフォトカプラ３０２の間にはＢＲＤＹ信号線が接続され、フォトカプラ４０３とフォトカプラ３０３の間にはＢＲＱ信号線が接続されている。
【００５２】
ここでフォトカプラ４０１は、フォトトランジスタのコレクタ端子がＩ／Ｏ２２５と接続され、エミッタ端子は接地されている。また、フォトカプラ４０１のＬＥＤのアノード側に前記ＶＬが供給され、カソード側はＰＳＩ信号線の一端と接続されている。このＰＳＩ信号線の他端は、パチンコ機１００のＩ／Ｏ１６２に備えられるアース回路と中継基板１９０を介して接続される。よって現金玉貸ユニット２００とパチンコ機１００が中継基板１９０を介して接続されたときには、ＬＥＤのアノードからカソードに電流が流れて発光し、フォトトランジスタを照らし、その光でフォトトランジスタのコレクタ−エミッタ間に電流が流れて、フォトトランジスタのコレクタ端子側の電圧が降下する構成となっている。即ちＬＥＤやフォトトランジスタに流れる電流（又は電圧降下）の確認（検出）によって、パチンコ機１００と現金玉貸ユニット２００との間の接続確認が行われる。
【００５３】
次にフォトカプラ４０２は、ＬＥＤのカソード側がＩ／Ｏ２２５と接続され、アノード側にはＶＬが供給されている。また、フォトカプラ４０２のフォトトランジスタのコレクタ端子がＢＲＤＹ信号線の一端と接続され、エミッタ端子は接地されている。このＢＲＤＹ信号線の他端は、中継基板１９０を介してフォトカプラ３０２のＬＥＤのカソード側と接続され、このＬＥＤのアノード側にはＶＬが供給されている。また、このフォトカプラ３０２のフォトトランジスタのコレクタ端子はＩ／Ｏ１６２と接続され、エミッタ端子は接地されている。従って、フォトカプラ４０２のＬＥＤに電流を流すことで、フォトトランジスタのコレクタ−エミッタ間に電流が流れてコレクタ端子の電圧が降下し（即ちフォトカプラ３０２のＬＥＤのカソード電圧が降下し）、この電圧降下によってフォトカプラ３０２のＬＥＤに電流が流れて発光し、フォトトランジスタのコレクタ−エミッタ間に電流が流れる（即ちフォトトランジスタのコレクタ端子の電圧が降下する）構成になっている。これによって、Ｉ／Ｏ２２５からＩ／Ｏ１６２に対して、ＢＲＤＹ信号線を介しての前記玉貸可能信号や前記玉貸終了信号の送信が行われる。即ち現金玉貸ユニット２００側のフォトカプラ４０２が送信回路、パチンコ機１００側のフォトカプラ３０２が受信回路として機能する。
【００５４】
またフォトカプラ４０３及びフォトカプラ３０３も、上記と同様にして、中継基板１９０を介してＢＲＱ信号線の各端と接続され、Ｉ／Ｏ２２５からＩ／Ｏ１６２に対して、ＢＲＱ信号線を介しての前記玉貸要求信号や前記玉貸指令信号の送信が行われる。即ち現金玉貸ユニット２００側のフォトカプラ４０３が送信回路、パチンコ機１００側のフォトカプラ３０３が受信回路として機能する。
【００５５】
また現金玉貸ユニット２００側のＩ／Ｏ２２５には、上記ＢＲＤＹ信号線の一端に接続されるフォトカプラ４０２や上記ＢＲＱ信号線の一端に接続されるフォトカプラ４０３とは逆に、受信回路としてのフォトカプラ４０４及び４０５が接続され、パチンコ機１００側のＩ／Ｏ１６２には、上記ＢＲＤＹ信号線の他端に接続されるフォトカプラ３０２や上記ＢＲＱ信号線の他端に接続されるフォトカプラ３０３とは逆に、送信回路としてのフォトカプラ３０４及び３０５が接続されている。なお、これら送信回路としてのパチンコ機側フォトカプラ３０４及び３０５のＬＥＤのアノード側には、前記ＶＬとは別の直流電圧ＶＰが供給されている。そしてフォトカプラ４０４とフォトカプラ３０４との間には中継基板１９０を介してＰＲＤＹ信号線が接続され、フォトカプラ４０５とフォトカプラ３０５との間には中継基板１９０を介してＥＸＳ信号線が接続される。これによって、Ｉ／Ｏ１６２からＩ／Ｏ２２５に対して、ＰＲＤＹ信号線を介しての前記払出可能信号の送信が行われる。またＩ／Ｏ１６２からＩ／Ｏ２２５に対して、ＥＸＳ信号線を介しての前記玉貸準備信号や前記玉貸完了信号の送信が行われる。
【００５６】
次に図５（ａ）を参照して、ＣＲ式のパチンコ機１００とＣＲ玉貸ユニットとの間で玉貸処理のときに行われる通信について説明する。まずパチンコ機１００及びＣＲ玉貸ユニットの電源投入時（即ち接続時）には、前述したようにフォトカプラ４０１のＬＥＤに電流が流れるので、ＰＳＩはＬＯＷとなり、ＰＳＩ信号線を介して、パチンコ玉の貸与を指令できる状態にあることを示す信号である接続確認信号が、ＣＲ玉貸ユニットからパチンコ機１００に対して送信される（Ｓ０）。またＳ０のタイミングで、ＣＲ玉貸ユニットのユニット制御部は、ＢＲＤＹ及びＢＲＱをＨＩＧＨとすることにより、ＢＲＤＹ信号線及びＢＲＱ信号線を介して、パチンコ玉の貸与を指令できる状態にあることを示す信号を、ＣＲ玉貸ユニットからパチンコ機１００に対して送信する。またパチンコ機１００の払出制御基板１６０は、ＥＸＳをＨＩＧＨとすることにより、ＥＸＳ信号線を介して、パチンコ機１００よりパチンコ玉を貸与するために必要な信号を、パチンコ機１００からＣＲ玉貸ユニットに対して送信する。さらにパチンコ機１００における接続確認信号の検出に伴い、パチンコ機１００の払出制御基板１６０は、ＰＲＤＹをＬＯＷとすることにより、ＰＲＤＹ信号線を介して、パチンコ機１００よりパチンコ玉を貸与するために必要な信号である払出可能信号を、パチンコ機１００からＣＲ玉貸ユニットに対して送信して、スタンバイ状態となる（Ｓ１）。このＳ１に示すスタンバイ状態、即ちパチンコ機１００側においてＰＳＩのＬＯＷ，ＢＲＤＹのＨＩＧＨ，ＢＲＱのＨＩＧＨ，ＥＸＳのＨＩＧＨ，及びＰＲＤＹのＬＯＷが検出されることにより、当該パチンコ機１００は、ＣＲ玉貸ユニットがパチンコ玉の貸与を指令でき、かつパチンコ機１００よりパチンコ玉を貸与するために必要な信号を受信できる状態にあることを認識するので、当該パチンコ機１００でエラーとならずに、該パチンコ機１００における遊技（即ち発射ハンドル１３０の操作）が可能となる。
【００５７】
次にＣＲ玉貸ユニットのユニット制御部は、ＰＲＤＹのＬＯＷ（払出可能信号）を受信しているスタンバイ状態において玉貸操作（例えばＣＲ式のパチンコ機１００に設けられている玉貸ボタンの操作）を検出すると、ＢＲＤＹをＬＯＷとすることにより、ＢＲＤＹ信号線を介して、パチンコ機１００の払出制御基板１６０に玉貸可能信号を送信する（Ｓ２）。
【００５８】
この状態において、ＣＲ玉貸ユニットのユニット制御部は、ＢＲＱをＬＯＷとすることにより、ＢＲＱ信号線を介して、パチンコ機１００の払出制御基板１６０に玉貸要求信号を送信する（Ｓ３）。次にパチンコ機１００の払出制御基板１６０は、ＢＲＤＹのＬＯＷ（玉貸可能信号）を受信した状態においてＢＲＱのＬＯＷ（玉貸要求信号）を受信すると、単位金額＝１度数に相当する数のパチンコ玉を貸与する準備（玉貸準備）が整っているか否かを確認し、該玉貸準備が整っていることを条件として、ＥＸＳをＬＯＷとすることにより、ＥＸＳ信号線を介して、ＣＲ玉貸ユニットのユニット制御部に玉貸準備信号を送信する（Ｓ４）。
【００５９】
次に該ＥＸＳのＬＯＷ（玉貸準備信号）を受信したＣＲ玉貸ユニットのユニット制御部は、ＢＲＱをＨＩＧＨとすることにより、ＢＲＱ信号線を介して、パチンコ機１００の払出制御基板１６０に玉貸指令信号を送信する（Ｓ５）。次に該ＢＲＱのＨＩＧＨ（玉貸指令信号）を受信したパチンコ機１００の払出制御基板１６０は、賞球払出装置１７０に対して払出信号を出力し、これに基づいて１度数に相当する数のパチンコ玉（例えば２４個）の払出が行われると共に、該払出の完了に基づいて、ＥＸＳをＨＩＧＨとすることにより、ＥＸＳ信号線を介して、ＣＲ玉貸ユニットのユニット制御部に玉貸完了信号を送信する（Ｓ６）。
【００６０】
そして該ＥＸＳのＨＩＧＨ（玉貸完了信号）を受信したＣＲ玉貸ユニットのユニット制御部は、受け付けている前記プリペイドカードに記録されているカード残額から１度数に相当する金額を減算した後の金額を記録する処理を行うと共に、残度数表示器（図示外）の表示を１度数減算して表示する処理を行う。ＣＲ玉貸ユニットのユニット制御部は、これらＳ３〜Ｓ６の制御をセットされた玉貸使用度数分（例えば５度数）だけ繰り返し、これらの制御の終了に基づいて、ＢＲＤＹをＨＩＧＨとすることにより、ＢＲＤＹ信号線を介して、パチンコ機１００の払出制御基板１６０に玉貸終了信号を送信し（Ｓ７）、玉貸処理を終了する。
【００６１】
次に図５（ｂ）を参照して、ＣＲ式のパチンコ機１００と本発明に係る現金玉貸ユニット２００との間で行われる通信について説明する。上述したＣＲ玉貸ユニットの場合と同様に、パチンコ機１００及び現金玉貸ユニット２００の電源投入時（即ち接続時）には、前述したようにフォトカプラ４０１のＬＥＤに電流が流れるので、ＰＳＩはＬＯＷとなり、ＰＳＩ信号線を介して、パチンコ玉の貸与を指令できる状態にあることを示す信号である接続確認信号が、現金玉貸ユニット２００からパチンコ機１００に対して送信される（Ｓ０’）。またＳ０’のタイミングで、現金玉貸ユニット２００のユニット制御部２２０は、ＢＲＤＹ及びＢＲＱをＨＩＧＨとすることにより、ＢＲＤＹ信号線及びＢＲＱ信号線を介して、パチンコ玉の貸与を指令できる状態にあることを示す信号を、現金玉貸ユニット２００からパチンコ機１００に対して送信する。またパチンコ機１００の払出制御基板１６０は、ＥＸＳをＨＩＧＨとすることにより、ＥＸＳ信号線を介して、パチンコ機１００よりパチンコ玉を貸与するために必要な信号を、パチンコ機１００からＣＲ玉貸ユニットに対して送信する。さらにパチンコ機１００における接続確認信号の検出に伴い、パチンコ機１００の払出制御基板１６０は、ＰＲＤＹをＬＯＷとすることにより、ＰＲＤＹ信号線を介して、パチンコ機１００よりパチンコ玉を貸与するために必要な信号である払出可能信号を、パチンコ機１００から現金玉貸ユニット２００に対して送信して、スタンバイ状態となる（Ｓ１’）。このＳ１’に示すスタンバイ状態、即ちパチンコ機１００側においてＰＳＩのＬＯＷ，ＢＲＤＹのＨＩＧＨ，ＢＲＱのＨＩＧＨ，ＥＸＳのＨＩＧＨ，及びＰＲＤＹのＬＯＷが検出されることにより、当該パチンコ機１００は、現金玉貸ユニット２００がパチンコ玉の貸与を指令でき、かつパチンコ機１００よりパチンコ玉を貸与するために必要な信号を受信できる状態にあることを認識するので、当該パチンコ機１００でエラーとならずに、該パチンコ機１００における遊技（即ち発射ハンドル１３０の操作）が可能となる。
【００６２】
ここでＳ１’に示す状態においては、前述したＣＲ玉貸ユニットの場合と異なり、玉貸操作が行われることがないため、前記図５（ａ）に示す例のように、玉貸操作の検出によりＢＲＤＹがＬＯＷとなることがない。即ち、ＢＲＤＹ，ＢＲＱ，ＥＸＳはＨＩＧＨの状態のままであり、また、ＰＳＩ，ＰＲＤＹはＬＯＷの状態のままである。即ち、本発明に係る現金玉貸ユニット２００は、ＣＲ式のパチンコ機１００との通信を行うための信号入出力手段であるＩ／Ｏ２２５及びこれに接続されるフォトカプラ４０１〜４０５を備えるが、前記遊技媒体払出手段である玉払出機２６０は、該信号入出力手段であるＩ／Ｏ２２５における信号の入出力状態に拘わらず、玉貸ボタン２６２の操作による玉貸要求に基づいて、パチンコ玉の払出（即ち玉貸処理）を行う。
【００６３】
このように、現金玉貸ユニット２００によれば、自らパチンコ玉を払い出して貸与できると共に、パチンコ玉の貸与を指令する貸与指令信号に応じてパチンコ玉を貸与する遊技媒体貸与機能を有するＣＲ式のパチンコ機１００に対応して設置された場合であっても、該パチンコ機１００に対してパチンコ玉の貸与を指令できる状態にあることを示す信号（即ちＰＳＩのＬＯＷ，ＢＲＤＹのＨＩＧＨ，ＢＲＱのＨＩＧＨ）を送信すると共に、該パチンコ機１００よりパチンコ玉を貸与するために必要な信号（即ちＰＲＤＹのＬＯＷ，ＥＸＳのＨＩＧＨ）を当該パチンコ機１００から受信することができるので、パチンコ機１００側でエラーとなり遊技を行うことができないということがない。またその場合であっても、当該パチンコ機１００に設けられているＩ／Ｏ１６２の接続ポートが空いてしまうこともないので、セキュリティも担保される。
【００６４】
なお現金玉貸ユニット２００が現金式のパチンコ機１００’に対応して設置されており、前記遊技機設定手段（ユニット制御部２２０）により対応する遊技機が現金式のパチンコ機１００’であると設定されたときには、信号入出力手段であるＩ／Ｏ２２５は、遊技機に対してパチンコ玉の貸与を指令できる状態にあることを示す信号（即ちＰＳＩのＬＯＷ，ＢＲＤＹのＨＩＧＨ，ＢＲＱのＨＩＧＨ）を送信する機能を不能動化すると共に、遊技機よりパチンコ玉を貸与するために必要な信号（即ちＰＲＤＹのＬＯＷ，ＥＸＳのＨＩＧＨ）を受信する機能を不能動化する。具体的には、遊技機よりパチンコ玉を貸与するために必要な信号がＩ／Ｏ２２５に入力されてもＣＰＵ２２１が該信号を無視することにより、当該機能を不能動化する。
【００６５】
このように、対応する遊技機が遊技媒体貸与機能を有しないとき、即ち該遊技機である現金式のパチンコ機１００’と接続されないときには、該遊技機より遊技媒体を貸与するために必要な信号を受信する機能が不能動化されるので、信号入出力手段であるＩ／Ｏ２２５を介して不正な信号が入力され、例えば不正にパチンコ玉が払い出されるようなおそれがなくなる。
【００６６】
最後に、本発明の変形例について説明する。
【００６７】
上記の実施形態では、図１に示すように、遊技機がパチンコ機１００である例について説明したが、これに限らず、該遊技機は、例えば遊技媒体としてメダルを使用するスロットマシンであっても良い。
【００６８】
上記の実施形態では、図１に示すように、遊技用装置（現金玉貸ユニット２００）に対応する遊技機が遊技媒体貸与機能を有する遊技機（ＣＲ式のパチンコ機１００）であるか否かが管理装置（システムコントローラ１０）において設定され、該管理装置から送信されてきた設定情報に基づいて、遊技機設定手段（ユニット制御部２２０）により、対応する遊技機が遊技媒体貸与機能を有する遊技機であるかが設定される例について説明したが、これに限らず、該設定は各遊技用装置における設定操作に基づいて行われるようにしても良い。この場合には、例えばユニット制御部２２０に、対応する遊技機がＣＲ式のパチンコ機１００であるか現金式のパチンコ機１００’であるかを設定するスイッチを設けるようにすれば良い。
【００６９】
上記の実施形態では、図１に示すように、予め定められた単位金額（１００円）に対して払い出す遊技媒体の数（単位払出玉数）が管理装置（システムコントローラ１０）において設定され、該管理装置から送信されてきた設定情報に基づいて、払出遊技媒体数設定手段（ユニット制御部２２０）により、予め定められた単位金額に対して遊技媒体払出手段（玉払出機２６０）により払い出す遊技媒体の数が設定される例について説明したが、これに限らず、該設定は各遊技用装置における設定操作に基づいて行われるようにしても良い。この場合には、例えばユニット制御部２２０に、予め定められた単位金額（１００円）に対して払い出す遊技媒体（パチンコ玉）の数を設定するディップスイッチを設けるようにすれば良い。
【００７０】
上記の実施形態では、予め定められた単位金額（１００円）に対して払い出す遊技媒体の数（単位払出玉数）を、単位金額÷消費税を含む遊技媒体１個の貸与料金の式で演算された商の１個未満のパチンコ玉数を切り上げて決定する（即ち貸与料金に満たない端数金額については、遊技場の負担でパチンコ玉を貸与する）例について説明したが、これに限らず、前記演算された商の１個未満のパチンコ玉数を切り捨てて単位払出玉数を決定する（即ち貸与料金に満たない端数金額については、遊技者の負担としてパチンコ玉を貸し出さない）ようにしても良い。
【００７１】
上記の実施形態では、図２に示すように、貨幣として、紙幣２及び硬貨３の双方を使用可能である例について説明したが、これに限らず、紙幣２又は硬貨３のいずれか一方のみを使用可能としても良い。また上記の実施形態において、ユニット制御部２２０のＲＡＭ２２３に残額が記憶されている場合には、貨幣受付手段（紙幣識別機２４０，硬貨識別機２５０）により貨幣を受け付けないようにしても良い。
【００７２】
上記の実施形態では、図２に示すように、貨幣受付手段（紙幣識別機２４０，硬貨識別機２５０）において、有体物である貨幣（紙幣２，硬貨３）の入金を受け付ける例について説明したが、これに限らず、無体物である貨幣（例えば電子マネー等の貨幣金額に相当する金額データや、クレジットカードから特定される与信金額や、デビットカードから特定される預金金額等）の入金を接触又は非接触で受け付けるようにしても良い。
【００７３】
上記の実施形態において、貨幣として1000円以下の貨幣を受け付けた場合には、玉貸ボタン２６２の操作による玉貸要求に依らずに玉貸が行われるようにしても良い。また貨幣として1000円以下の貨幣のみを受付可能とし、かつ玉貸ボタン２６２の操作による玉貸要求に依らずに玉貸が行われるようにした場合には、パチンコ玉の払出に使用されない残額が生ずることがないので、精算カードＲ／Ｗ２７０や精算カードストッカ２７２を設ける必要がない。
【００７４】
上記の実施形態では、遊技媒体払出手段（玉払出機２６０）において、パチンコ玉の払出が単位金額＝１度数分ずつ行われる例について説明したが、これに限らず、該パチンコ玉の払出は、セットされた玉貸使用度数分がまとめて行われるようにしても良い。
【００７５】
上記の実施形態では、パチンコ玉の払出に使用されなかった残額が精算カード４に記録されて遊技者に返却される例について説明したが、これに限らず、例えば遊技用装置（現金玉貸ユニット２００）において、精算カード４には残額を記録せずに、該精算カード４を個々に識別可能な精算カードＩＤと前記残額とを管理装置（システムコントローラ１０）に対して送信し、該管理装置において、精算カードＩＤと残額とを対応付けて管理するようにしても良い。
【００７６】
上記の実施形態では、図２に示すように、精算カード４が精算カードストッカ２７２に貯留されている例について説明したが、これに限らず、該精算カード４は、精算カード排出口２７１から受け付けられるものであっても良い。
【００７７】
上記の実施形態では、図４に示すように、ＰＲＤＹ信号線の一端（現金玉貸ユニット側）がフォトカプラ４０４のＬＥＤに接続される例について説明したが、これに限らず、ＰＲＤＹ信号線の一端（現金玉貸ユニット側）がグランド（アース回路）に接続されていても良い。同様に、上記の実施形態では、ＥＸＳ信号線の一端（現金玉貸ユニット側）がフォトカプラ４０５のＬＥＤに接続される例について説明したが、これに限らず、ＥＸＳ信号線の一端（現金玉貸ユニット側）がグランド（アース回路）に接続されていても良い。これらによっても、パチンコ機１００から送信される信号の受信が可能である。さらにこれらの場合には、受信回路としてのフォトカプラ４０４や４０５は備えていなくても良い。
【００７８】
上記の実施形態では、遊技機設定手段（ユニット制御部２２０）により、当該遊技用装置（現金玉貸ユニット２００）に対応する遊技機が遊技媒体貸与機能を有しない遊技機（現金式のパチンコ機）であると設定されたときに、前記信号入出力手段（ユニット制御部２２０のＩ／Ｏ２２５）が、遊技媒体の貸与を指令できる状態にあることを示す信号（ＰＳＩのＬＯＷ，ＢＲＤＹのＨＩＧＨ，ＢＲＱのＨＩＧＨ）を送信する機能と、該遊技機より遊技媒体を貸与するために必要な信号（ＰＲＤＹのＬＯＷ，ＥＸＳのＨＩＧＨ）を受信する機能を不能動化する例について説明したが、これに限らず、該信号入出力手段は、少なくとも遊技機より遊技媒体を貸与するために必要な信号を受信する機能を不能動化すれば良い。
【００７９】
上記の実施形態では、図５に示すように、ＢＲＤＹ，ＢＲＱ，及びＥＸＳは、ＰＳＩがＬＯＷとなったタイミング（Ｓ０，Ｓ０’）でＨＩＧＨとなる例を示しているが、これに限らず、ＢＲＤＹ，ＢＲＱ，及びＥＸＳは、ＰＳＩがＬＯＷとなる以前にＨＩＧＨであっても良い。
【図面の簡単な説明】
【００８０】
【図１】図１は本発明に係る遊技用装置である現金玉貸ユニットを含む遊技用システムの一例を表す機能ブロック図である。
【図２】図２（ａ）はパチンコ機と現金玉貸ユニットの一例を表す正面図であり、図２（ｂ）は同現金玉貸ユニットの断面右側面図である。
【図３】図３はパチンコ機と現金玉貸ユニットの一例を表す機能ブロック図である。
【図４】図４はパチンコ機と現金玉貸ユニットとの間での信号の送受信を行うための回路の一例を表す回路図である。
【図５】図５（ａ）はＣＲ式のパチンコ機とＣＲ玉貸ユニットとの間で玉貸処理のときに行われる通信の一例を表すタイミングチャートであり、図５（ｂ）はＣＲ式のパチンコ機と本発明に係る現金玉貸ユニットとの間で行われる通信の一例を表すタイミングチャートである。
【符号の説明】
【００８１】
２…紙幣
３…硬貨
１００…（ＣＲ式の）パチンコ機
１００’…（現金式の）パチンコ機
２００…現金玉貸ユニット
２２０…ユニット制御部
２２５…Ｉ／Ｏ
２４０…紙幣識別機
２５０…硬貨識別機
２６０…玉払出機
【図１】
2005312469.tif 000003
【図２】
2005312469.tif 000004
【図３】
2005312469.tif 000005
【図４】
2005312469.tif 000006
【図５】
2005312469.tif 000007